(57)【要約】【課題】軒樋を切断する際に、軒樋を軸方向廻りに正確に回転させながら、一人の作業者でも容易且つ精度良く軒樋を切断可能な軒樋切断治具を提供する。【解決手段】一対の半割体２Ａ、２Ｂを組み付けて筒状に形成される、軒樋１の外周面に嵌合する支持片２１０、２２０を有する治具本体２０の側部に軒樋１の短手方向外周を包囲する大きさの円環鍔状のガイド片２３を一体に設けて軒樋切断治具２を構成し、治具本体２０に嵌合した軒樋１を軸廻りに回転させながら電動鋸で切断できるようにする。【選択図】図１
2010216200.tif 000002
【特許請求の範囲】
【請求項１】
軒樋を支持して電動鋸で切断するための軒樋切断治具において、
軒樋の外周面に嵌合する支持片を有する治具本体の側部に、前記軒樋の短手方向外周を包囲する大きさの円環鍔状のガイド片が設けられた構成を有することを特徴とする軒樋切断治具。
【請求項２】
治具本体とガイド片は、軒樋の外側に着脱自在に被嵌される一対の半割体により形成されていることを特徴とする請求項１に記載の軒樋切断治具。
【請求項３】
治具本体の外周に電動鋸のベース板と摺接する略円筒状の周面からなる案内面が形成されていることを特徴とする請求項１又は２に記載の軒樋切断治具。
【発明の詳細な説明】
【技術分野】
【０００１】
本発明は、電動鋸を用いて軒樋を切断する際に用いられる治具の構造であって、軒樋を安定的に支持して切断位置をずらすことなく真っ直ぐに切断できるように構成された軒樋切断治具に関する。
【背景技術】
【０００２】
屋根の軒先に沿って軒樋を配設する施工現場では、定尺の軒樋を取り付け位置に応じ所定の長さに切断して使用している。このとき、軒樋を斜めに切断してしまうと、軒樋の端部同士の突き合わせ部に隙間ができ、突き合わせ端部の内側に内継手を嵌合させて接続したときには突き合わせ部の隙間が外側に露出するため、軒下から軒先を見上げたときの見栄えが悪くなってしまう。隙間が大きいと接続部の雨漏りを誘発することにもなりかねない。施工現場では作業スペースや利用可能な工具などに制限を受けるため軒樋をその長手方向に対して直角に正確に切断することは難しく、また、硬質塩化ビニル樹脂製の軒樋の切断は比較的容易であるものの、表面を塩化ビニル樹脂などで被覆した樹脂被覆鋼板をベンダーなどで折り曲げて成形した金属製軒樋は硬いため切断し難く、切断作業に手間がかかるだけでなく、切断作業中に切断工具の刃先がずれて斜めに切断してしまいやすかった。
【０００３】
そこで、従来から施工現場での軒樋の切断作業では、図７及び図８に示されるような切断治具が利用されている。
この切断治具９０は、両端に軒樋９の耳部９ａ、９ａに係合する耳係合部９２、９２を有し、軒樋９の長手方向と直交する幅方向に亘って軒樋９に外嵌合し得るように形成された治具本体９１と、電動鋸のベース板に装着される被ガイド片９４からなるものであり、治具本体９１の外周面に形成されたガイド溝９３に被ガイド片９４の端部を係入させた状態で、治具本体９１の外周に沿って被ガイド片９４を摺接させることができるように構成してある（例えば、特許文献１参照）。
【０００４】
この切断治具９０を用いた軒樋９の切断手順は、先ず軒樋９を裏返しにして地表面に置き、切断治具９０を軒樋９の切断位置の近傍に配置して、これを軒樋９の外面に沿わせるようにして軒樋９に被せ、耳係合部９２、９２を軒樋９の耳部９ａ、９ａにそれぞれ係合させて取り付ける。次いで、ベース板に被ガイド片９４が装着された電動鋸を、前記被ガイド片９４の端部を切断治具９０のガイド溝９３に係入させてセットし、電動鋸の回転刃９５を軒樋９に押し付けながらガイド溝９３に沿って被ガイド片９４を摺接させて電動鋸を治具本体９１の周りで移動させ、或いは電動鋸を定位置に支持したまま軒樋９もろとも治具本体９０を回転させることにより軒樋９を切断するようになっている。
【先行技術文献】
【特許文献】
【０００５】
【特許文献１】特開２００４−２９１３６１号公報
【発明の概要】
【発明が解決しようとする課題】
【０００６】
前記従来の切断治具９０にあっては、軒樋９を切断するときに軒樋９を地表面に裏返しに置き、軒樋９の底壁９ｃに回転刃９５を押し付け、底壁９ｃと略垂直な軒樋９の前側壁９ｂ及び後側壁９ｄを順次切断するが、この際、作業者は片手で電動鋸を支持しつつ片手で軒樋９を持ち上げて前後に傾けたり回転させたりしなければならない。定尺の軒樋は長さ寸法が２７３０ｍｍもあり、また、表面が樹脂被覆された金属製軒樋は重量が３ｋｇ程もあるため、作業者一人で軒樋を片手で支持して傾けたり回転させたりし、同時に電動鋸を駆動操作する作業は多大な労力を必要とし、また、回転操作中に前記被ガイド片９４の先端がガイド溝９３から外れて電動鋸が傾き、軒樋９を斜めに切断してしまうこともあった。
【０００７】
本発明は従来技術の有するこのような問題点に鑑み、軒樋を切断する際に軒樋を斜めに傾けることなく、軸方向廻りに正確且つ容易に回転させることができ、一人の作業者でも簡単且つ正確に軒樋を切断することができる軒樋切断治具を提供することを課題とする。
【課題を解決するための手段】
【０００８】
前記課題を解決するため本発明は、軒樋を支持して電動鋸で切断するための軒樋切断治具において、
軒樋の外周面に嵌合する支持片を有する治具本体の側部に、前記軒樋の短手方向外周を包囲する大きさの円環鍔状のガイド片が設けられた構成を有することを特徴とする。
【０００９】
これによれば、治具本体の側部に円環鍔状のガイド片を設けてあるので、治具本体を被嵌させた軒樋を地表面に置き、周縁が接地したガイド片を操作して回転させることで、軒樋切断治具とともに軒樋をその長手方向に沿った軸廻りに容易に回転させることができる。そして、電動鋸をガイド片に沿わせて設置すれば、電動鋸の回転刃が軒樋の長手方向と直交する方向に保持され、軒樋が回転すると回転刃は当該軒樋の外周に沿って移動することとなり、この回転刃により軒樋はその短手幅方向に沿って真っ直ぐに切断される。
【００１０】
前記構成において、治具本体及びガイド片は、軒樋の外周側に着脱自在に被嵌される一対の半割体により形成することができる。一対の半割体により形成された軒樋切断治具は、軒樋への治具の着脱が容易であり、また、ガイド片を地表面に接地させて、軒樋の回転及び切断作業を円滑に行うことができる。
【００１１】
治具本体の外周には、電動鋸のベース板と摺接する案内面を形成することが好ましく、この案内面は支持される軒樋の周囲を包囲する略円筒形の周面により形成することができる。このように案内面が略円筒形の周面により形成されていると、電動鋸のベース板を案内面に接触させて円滑に摺接させることができ、治具本体の側部に設けたガイド片に電動鋸を沿わせながら前記ベース板を案内面に面接触させて摺接することで、電動鋸の回転刃の移動が安定し、軸廻りに回転する軒樋に回転刃を押し当てると、軒樋を長手方向と直交する方向に精度良く真っ直ぐに切断することができ、切断面が綺麗になる。
【００１２】
前記構成の軒樋切断治具において、治具本体とガイド片は一体に形成しても、それぞれ別体に形成してもよい。別体に形成した場合、ガイド片は治具本体の側部に固定して、治具本体がガイド片と一体に回転するように取り付けられる。なお、「被嵌」は被せるように嵌める状態をいい、「摺接」はすり動く状態で接することをいう。
【図面の簡単な説明】
【００１３】
【図１】本発明の一実施形態の軒樋切断治具の半割体を軒樋の周りで展開した状態の斜視図である。
【図２】図１の軒樋切断治具の半割体同士を組み付けた状態の斜視図である。
【図３】図２に示した軒樋切断治具の側面図である。
【図４】図１の半割体縁部の係止接続部分の要部拡大断面図である。
【図５】軒樋を切断する電動鋸の一例の斜視図である。
【図６】図１の軒樋切断治具を用いて軒樋を切断する状態を示す概略断面図である。
【図７】従来の軒樋切断治具を軒樋に装着した状態の外観図である。
【図８】図７の軒樋切断治具を用いて軒樋を切断する状態を示す要部概略断面図である。
【発明を実施するための形態】
【００１４】
本発明の好適な実施形態を図面に基づいて説明する。
図１〜図６は軒樋切断治具の一実施形態を示し、図中、符号１は軒樋、２は軒樋切断治具、３は電動鋸をそれぞれ示している。
【００１５】
軒樋１は、例えば塩化ビニル樹脂などで表面が被覆された樹脂被覆鋼板、或いはアルミ板などの耐蝕性を有する金属鋼板を板金加工により長手方向に沿って屈曲成形した長尺な角形樋であり、図１に示されるように、底壁１１の前端で屈曲して斜め前方に立ち上がる前側壁１２と、底壁１１の後端で屈曲して略垂直に立ち上がる後側壁１３によって断面略Ｕ字状に形成されている。前側壁１２の上端には内側に鋭角に折り返して形成した前耳部１２ａ、後側壁１３の上端には後方に屈曲してから内側に向かって開口する断面略コ字状の後耳部１３ａがそれぞれ設けてある。
【００１６】
軒樋切断治具２は、軒樋１の外周面に装着してその周囲を長手方向に沿って適宜な幅に亘り包囲する筒状の治具本体２０の側部に円環鍔状のガイド片２３を一体に成形し、且つ治具本体２０及びガイド片２３を軒樋１の開口面を含む略上半部に嵌合する半割体２Ａと、軒樋１の略下半部に嵌合する半割体２Ｂとに二分し、軒樋１の外側面に両半割体２Ａ、２Ｂを被嵌し一体に組み付けることにより軒樋１の外周面を支持するように構成されている。
【００１７】
すなわち、治具本体２０は、軒樋１に装着したときにその底壁１１、前側壁１２及び後側壁１３を包囲する大きさをなし、その外周には略円筒状の周面からなる案内面２０ａが設けられているとともに、その軸方向の一端側の側板２１と他端側の側板２２に、軒樋１の外形断面形状と略合致した形状に切り欠いてなる、軒樋１の外周面に嵌合する支持片２１０、２２０を設けて形成してある。
【００１８】
また、ガイド片２３は、治具本体２０の案内面２０ａの側板２２側の端部外周に一体に設けてあり、案内面２０ａの周面に沿って適宜な高さで円環鍔状に突出させて形成してある。
詳しくは、図３に示されるように、前記案内面２０ａとガイド片２３は、ともにその外周が前記支持片２１０、２２０により縁取られた軒樋１の断面外形の外接円（Ｃ）の中心と略同心の円弧に沿わせて形成されており、前記案内面２０ａの直径を前記外接円（Ｃ）の直径よりも若干大きく設定し、ガイド片２３の直径を案内面２０ａの直径よりも若干大きく設定してある。
【００１９】
治具本体２０の周方向の分割縁部には、図４に示されるように、一方の半割体２Ｂの内側縁部から突出した係止部２４を設けてあり、この係止部２４の凸部２４ｂを他方の半割体２Ａの内側縁部に設けた凹部２４ａに係合して縁部同士を一体に連結し、両半割体２Ａ、２Ｂを組み付け位置に固定するようになっている。
半割体２Ａ、２Ｂを一体に組み付けて軒樋１の外側に被嵌したとき、治具本体２０の側板２１、２２に形状された切欠２１０、２２０に軒樋１が挟み込まれて軒樋１と治具本体２０とが相互にずれたり、がたついたりしないように形成してある。
【００２０】
次に、本発明の軒樋切断治具２を用いて軒樋１を切断する作業手順を説明する。
先ず、軒樋１の切断位置の近傍に一対の半割体２Ａ、２Ｂを配置し、双方の半割体２Ａ、２Ｂを軒樋１の外周面に被嵌させ、分割縁部にそれぞれ形成された係止部２４の凹部２４ａと凸部２４ｂを係合させて一体に組み付ける。一体に組み付けられた半割体２Ａ、２Ｂは、軒樋１の外周面に治具本体２０の支持片２１０、２２０が嵌合して軒樋１の外周面を挟み持ち、軒樋１は治具本体２０の内部に挿通させて支持される。
【００２１】
このようにして軒樋１の外周面所定位置に軒樋切断治具２を装着してから、軒樋１及び軒樋切断治具２を地表面や作業台の上に載置する。この際、軒樋１が水平状態に維持されるように、軒樋１の長手方向端部を別の支持部材の上に載せ、この支持部材と軒樋１に装着した前記軒樋切断治具２とで軒樋１が水平となるように高さを調節し、或いは当該軒樋切断治具２の装着位置から若干距離を置いて軒樋１の外周面に別の軒樋切断治具２を装着し、両軒樋切断治具２、２で軒樋１を水平に保持することが好ましい。
【００２２】
次いで、図５に示す矩形ベース板３１の下方に回転刃３２を配してなる電動鋸３を、図６に示されるように、前記ベース板３１の側端部を前記ガイド片２３に沿わせて治具本体２０の案内面２０ａ上に設置し、ベース板３１を案内面２０ａに押し付けて摺接させながら軒樋１を長手方向軸廻りに回転させつつ、電動鋸３の回転駆動する回転刃３２で軒樋１を切断する。
【００２３】
この切断作業の際に、作業者は片手で電動鋸３を操作しながら、片手でガイド片２３の周縁を把持して押し回しながら、軒樋切断治具２と一体に軒樋１をその長手方向軸廻りにスムーズに回転させることができるので、電動鋸３の回転刃３２は軒樋切断治具２のガイド片２３と案内面２０ａに案内されて、軒樋２の外周廻りに沿って正確に移動し、軒樋１の外周面に回転刃３２を切り入れて軒樋１を短手幅方向に沿って真っ直ぐに、精度良く綺麗に切断することができる。なお、軒樋１を所定の長さに切断したならば、半割体２Ａ、２Ｂを分離し、軒樋１の外周面から軒樋切断治具２を取り外す。
【００２４】
なお、図示した形態は一例であり、本発明の軒樋切断治具２の構成はこれらに限定されるものではない。
図示した形態は、軒樋切断治具２を一対の半割体２Ａ、２Ｂにより構成したが、両半割体を一体に成形して構成してもよく、或いは互いに分離及び一体に組み付け可能な三つ以上の部材により構成してもよい。また、治具本体２０とガイド片２３を一体に成形したが、両部を別体に形成し、切断作業の際に一体に組み付けるようにしてもよい。軒樋１の外周面に嵌合する支持片２１０、２２０は、側板２１、２２を軒樋１の断面形状に沿って切り欠いて形成したが、軒樋１の外周面に嵌合するのであれば形状は問わず、外周面全体に嵌合しなくとも部分的に嵌合する形状としてもよい。支持片２１０、２２０は、支持する軒樋１の形状に対応した形状に形成される。
【符号の説明】
【００２５】
１  軒樋、２  軒樋切断治具、２Ａ、２Ｂ  半割体、２０  治具本体、２０ａ  案内面、２１、２２  側板、２１０、２２０  支持片、２３  ガイド片
【図１】
2010216200.tif 000003
【図２】
2010216200.tif 000004
【図３】
2010216200.tif 000005
【図４】
2010216200.tif 000006
【図５】
2010216200.tif 000007
【図６】
2010216200.tif 000008
【図７】
2010216200.tif 000009
【図８】
2010216200.tif 000010